(57)【要約】      （修正有）【課題】排出オーガを下降させたり、ヘッダ部を上昇させたりする際に、掻込リールと排出オーガとの衝突を回避することができると共に、掻込リールと排出オーガとが衝突する虞があるときに、排出オーガの下降を不能にしたり、ヘッダ部の上昇を禁止することなく、排出オーガの下降作動、又はヘッダ部の上昇作動を継続して行うことができるようにして、作業性を損なうことがなく、また、緊急時の危険回避操作を妨げることがない汎用コンバインを提供する。【解決手段】ヘッダ部の上昇操作、又は排出オーガの収納位置への下降操作に伴い掻込リールと排出オーガとが衝突する虞がある場合には、掻込リールを強制的に下降させて、両者の衝突を回避するように構成する。【選択図】図１３
2015231356.tif 000002
【特許請求の範囲】
【請求項１】
走行装置を備える機体に操縦部と脱穀部とグレンタンクを設けると共に、機体の前方に高さ調節自在な掻込リール、刈刃、プラットホームオーガ、及びフィーダからなるヘッダ部を昇降自在に設ける汎用コンバインおいて、前記グレンタンクは収穀した穀粒を排出するオーガを備え、該排出オーガはヘッダ部上に臨む収納位置から排出位置に向けて昇降及び旋回自在に構成され、一方、前記掻込リールは、ヘッダ部の上昇操作、又は排出オーガの収納位置への下降操作に伴い排出オーガと衝突する虞がある場合には、制御装置が強制的に下降させて、両者の衝突を回避するように構成してあることを特徴とする汎用コンバイン。
【請求項２】
前記掻込リールを強制的に下降させる際には、掻込リールの下降させる前の高さを記憶し、掻込リールが排出オーガと衝突する虞がなくなった場合には、記憶した掻込リールの高さまで制御装置が上昇させるように構成してあることを特徴とする請求項１に記載の汎用コンバイン。
【請求項３】
前記掻込リールを強制的に下降させる際の下降速度を、非作業時には遅くするように構成してあることを特徴とする請求項１、又は請求項２に記載の汎用コンバイン。
【請求項４】
前記掻込リールを強制的に下降させる際の下降速度を遅くした際には、ヘッダ部の上昇速度、又は排出オーガの下降速度を遅くするように構成してあることを特徴とする請求項３に記載の汎用コンバイン。
【請求項５】
前記掻込リールの強制的な下降を非作業時には禁止すると共に、ヘッダ部の上昇作動、又は排出オーガの下降作動を不能にするように構成してあることを特徴とする請求項１乃至請求項２に記載の汎用コンバイン。
【請求項６】
前記排出オーガの収納位置をヘッダ部上から外れた第２収納位置に変更可能に構成し、該第２収納位置に排出オーガの収納位置が変更されている際には、掻込リールの強制的な下降を行わないように構成してあることを特徴とする請求項１乃至請求項６に記載の汎用コンバイン。
【発明の詳細な説明】
【技術分野】
【０００１】
本発明は、麦、そば、菜種、大豆、或いは水稲等の作物を刈取って脱穀・選別処理した後、グレンタンクに穀粒を一時的に貯留すると共に、グレンタンクに貯留した穀粒を排出オーガによってコンテナ等に移送する汎用コンバインに係り、詳しくは、汎用コンバインのヘッダ部（刈取部）に設ける掻込リールと、上記排出オーガとの衝突を未然に防止する汎用コンバインに関する。
【背景技術】
【０００２】
一般に、汎用コンバインは、走行装置を備える機体に操縦部と脱穀部とグレンタンクを設けると共に、機体の前方に高さ調節可能な掻込リール、刈刃、プラットホームオーガ、及びフィーダからなるヘッダ部を昇降自在に設けている。また、上記脱穀部はフィーダによって搬送されてきた穀稈を投入する扱室と、扱室の下方に設ける選別室とを備え、扱室に設けた扱胴と受網によって穀稈を脱粒させ、受網から漏下した処理物を選別室に設けた揺動選別体とファンの選別風によって穀粒と塵埃に選別するように構成している。
【０００３】
さらに、前記脱穀部によって選別された穀粒はグレンタンクに貯留され、その後、グレンタンクに収穀された穀粒は、排出オーガによってコンテナに向けて移送して排出される。そして、上記排出オーガは、そのオーガ出口がヘッダ部上に臨む収納位置からコンテナ上に臨む排出位置に向けて昇降及び旋回自在に構成され、上記排出位置からオーガレストに支持される収納位置に向けて下降させる際、掻込リールの高さによってはオーガ出口と掻込リールが衝突して両者が破損する虞があった。
【０００４】
即ち、刈取作業中にグレンタンクが満杯になると、取扱い説明書等では禁止されているにも係わらず、作業を中断して排出オーガを収納位置から上昇させ、また、ヘッダ部を上昇させて、そのままコンテナの場所に移動して穀粒を排出した後、再び排出オーガを収納位置に下降させる場合がある。その場合、作業の中断前はヘッダ部が下降していて掻込リールの高さが低くオーガ出口と干渉していなかった掻込リールが、ヘッダ部の上昇と共に高くなり、これに気付かず排出オーガを下降させた場合に両者が衝突する。
【０００５】
また、長稈のヒエやアワ、キビ等の雑穀を刈り取る場合には、掻込リールの高さを高くして精度よく穂先を掻き込んで収穫作業を行う。そのため、これらの作物を刈り取る場合には掻込リールとオーガ出口との間隔が元々少なくなっている。そうした中、圃場に障害物等があった場合に、これらの障害物との衝突を回避するために緊急でヘッダ部を上昇させることがある。しかし、その場合には掻込リールがヘッダ部の上昇と共に高くなり、収納位置にある排出オーガに衝突する虞がある。
【０００６】
そこで、排出オーガを収納位置に下降させたり、ヘッダ部を上昇させた際の掻込リールと排出オーガとの衝突を回避するために、掻込リールの機体に対する相対高さを検出すると共に、掻込リールが予め定めた所定高さ以上に上昇していることが検出された場合には、排出オーガの下降を不能にすること（例えば、特許文献１参照。）、また、掻込リールが上昇位置にあることを検出した場合、ヘッダ部の上昇を禁止し、或いはヘッダ部が上昇位置にあることを検出した場合、掻込リールの上昇を禁止し、さらに、掻込リールが所定高さ以上になるようにヘッダ部及び掻込リールを上昇操作した場合、排出オーガを連動して上昇制御すること（例えば、特許文献２参照。）が知られている。
【０００７】
そして、ヘッダ部及び／または掻込リールが所定の上昇量を超えるとヘッダ部の上昇を停止させた後に、掻込リールを下降させて掻込リールと排出オーガの両者間をさらに離間させること（例えば、特許文献３参照。）、更には、排出オーガが掻込リールと平面視でラップする第１収納位置と、ラップしない第２収納位置の２つの収納位置を設定すると共に、排出オーガを収納位置で支持するオーガレストを各収納位置に切換可能に構成し、以って、排出オーガを第２収納位置に収納することによって、掻込リールの上昇による排出オーガとの接触を回避すること（例えば、特許文献４参照。）が知られている。
【先行技術文献】
【特許文献】
【０００８】
【特許文献１】特開２０１２−１８７０７５号公報
【特許文献２】特開２０１２−２０５５４０号公報
【特許文献３】特開２０１３−２３３１０８号公報
【特許文献４】特開２０１２−１９１８９８号公報
【発明の概要】
【発明が解決しようとする課題】
【０００９】
前述の通り、掻込リールと排出オーガとの衝突を回避するために特許文献４に記載されているように、作業中は排出オーガを掻込リールと平面視でラップしない第２収納位置に収納することが望ましい。しかし、第２収納位置に排出オーガを収納するためには、オーガレストの収納位置の変更が必要となり、その切換え作業には煩わしさが伴うと共に、切換えを忘れる場合もあり、掻込リールと排出オーガとの衝突を回避するうえで完璧なものではない。そこで、次善の対策として、特許文献１乃至３の技術が提案されている。
【００１０】
しかしながら、特許文献１乃至３に記載されているように、掻込リールと排出オーガとが衝突する虞があるときに、これを回避するために排出オーガの下降を不能にしたり、ヘッダ部の上昇を禁止すると、意図した操作が行えないため作業性が悪化する。また、取扱い説明書等では禁止されているにも係わらず、排出オーガを起立（上昇）させたまま走行した際に、立木の枝や電線等に排出オーガが衝突する虞がある場合や、圃場に障害物がある場合に、緊急の危険回避のために排出オーガの下降操作やヘッダ部の上昇操作が行えなくなり、これらの障害物に排出オーガやヘッダ部が衝突して、逆に重大な破損事故等を引き起こす虞がある。
【００１１】
また、特許文献２に記載されているように、掻込リールが所定高さ以上になるようにヘッダ部及び掻込リールを上昇操作した場合、排出オーガを連動して上昇制御すれば、圃場に障害物等がある場合にはヘッダ部を上昇させて危険を回避することができる。しかし、長尺で重量のある排出オーガを即座に上昇させることは困難であると共に、逆に排出オーガを上昇させることによって、枝に衝突する等の不測な事態が発生する虞もあり、これを直ちに推奨することができない。
【００１２】
そこで、本発明は、排出オーガを下降させたり、ヘッダ部を上昇させたりする際に、掻込リールと排出オーガとの衝突を回避することができると共に、掻込リールと排出オーガとが衝突する虞があるときに、排出オーガの下降を不能にしたり、ヘッダ部の上昇を禁止することなく、排出オーガの下降作動、又はヘッダ部の上昇作動を継続して行うことができるようにして、作業性を損なうことがなく、また、緊急時の危険回避操作を妨げることがない汎用コンバインを提供することを課題とする。
【課題を解決するための手段】
【００１３】
本発明は、上記課題を解決するため第１に、走行装置を備える機体に操縦部と脱穀部とグレンタンクを設けると共に、機体の前方に高さ調節自在な掻込リール、刈刃、プラットホームオーガ、及びフィーダからなるヘッダ部を昇降自在に設ける汎用コンバインおいて、前記グレンタンクは収穀した穀粒を排出するオーガを備え、該排出オーガはヘッダ部上に臨む収納位置から排出位置に向けて昇降及び旋回自在に構成され、一方、前記掻込リールは、ヘッダ部の上昇操作、又は排出オーガの収納位置への下降操作に伴い排出オーガと衝突する虞がある場合には、制御装置が強制的に下降させて、両者の衝突を回避するように構成してあることを特徴とする。
【００１４】
本発明は、第２に、前記掻込リールを強制的に下降させる際には、掻込リールの下降させる前の高さを記憶し、掻込リールが排出オーガと衝突する虞がなくなった場合には、記憶した掻込リールの高さまで制御装置が上昇させるように構成してあることを特徴とする。また、本発明は、第３に、前記掻込リールを強制的に下降させる際の下降速度を、非作業時には遅くするように構成してあることを特徴とする。さらに、本発明は、第４に、前記掻込リールを強制的に下降させる際の下降速度を遅くした際には、ヘッダ部の上昇速度、又は排出オーガの下降速度を遅くするように構成してあることを特徴とする。
【００１５】
そして、本発明は、第５に、前記掻込リールの強制的な下降を非作業時には禁止すると共に、ヘッダ部の上昇作動、又は排出オーガの下降作動を不能にするように構成してあることを特徴とする。また、本発明は、第６に、前記排出オーガの収納位置をヘッダ部上から外れた第２収納位置に変更可能に構成し、該第２収納位置に排出オーガの収納位置が変更されている際には、掻込リールの強制的な下降を行わないように構成してあることを特徴とする。
【発明の効果】
【００１６】
本発明の汎用コンバインによれば、掻込リールは、ヘッダ部の上昇操作、又は排出オーガの収納位置への下降操作に伴い排出オーガと衝突する虞がある場合には、制御装置が強制的に下降させて、両者の衝突を回避するように構成してあるから、排出オーガを下降させたり、ヘッダ部を上昇させたりする際に、掻込リールと排出オーガとが衝突することを防止することができる。また、排出オーガの収納位置への下降操作、又はヘッダ部の上昇操作に伴い掻込リールと排出オーガとが衝突する虞がある場合に、排出オーガの下降作動、又はヘッダ部の上昇作動を継続して行うことができるから、オペレータが意図した操作を中断することなく行えるので作業性を損なうことがなく、しかも、障害物との衝突を回避するために行う排出オーガの下降操作やヘッダ部の上昇操作を妨げないから、重大な破損事故等を未然に防止することができる。
【００１７】
また、本発明の汎用コンバインによれば、掻込リールを強制的に下降させる際には、掻込リールの下降させる前の高さを記憶し、掻込リールが排出オーガと衝突する虞がなくなった場合には、記憶した掻込リールの高さまで制御装置が上昇させるように構成してあるから、刈取作業を再開する場合に、掻込リールの高さを調整し直す必要がなく、以前の掻込リールの高さで精度よく穂先を掻き込んで能率的に収穫作業を行うことができる。
【００１８】
さらに、汎用コンバインでは、枕地部分の手刈りした穀稈や、刈取中にこぼれた穀稈を未刈稈の上にバラまいて収穫することが推奨されているが、手作業でヘッダ部のプラットホームに直接投入することが行われる場合もある。また、刈取中に掻込リールのタインによって穀稈が上方に巻き上げられてヘッダ部上に撒き散らされたり、掻込リール等に穀稈が巻き付いた場合に、これらの除去作業を行わなければならないことがある。そして、これらの作業を補助作業者が機体の走行を停止した合間をぬって行うことがあり、これをオペレータが知らずに、ヘッダ部の周囲をよく確認しないまま、例えば、グレンタンクからの穀粒の排出を終えて、排出オーガを収納位置に下降させるようなことがないとは言い切れない。
【００１９】
しかし、このような場合に、掻込リールが前述の構成によって自動的に下降すると、補助作業者に危険を与える虞がある。また、ヘッダ部の不測な上昇によっても同様の事態が発生する虞がある。そこで、本発明の汎用コンバインによれば、掻込リールを強制的に下降させる際の下降速度を、機体の走行を停止して刈取り作業を行わない非作業時には遅くするように構成する。また、掻込リールを強制的に下降させる際の下降速度を遅くした際には、ヘッダ部の上昇速度、又は排出オーガの下降速度を遅くするように構成する。従って、仮に補助作業者が前述した作業を行っている際にも、これらの遅くした各部の作動に気付いて、速やかにヘッダ部の周囲から離れて危険を回避することができる。
【００２０】
しかも、本発明の汎用コンバインによれば、掻込リールの強制的な下降を機体の走行を停止して刈取り作業を行わない非作業時には禁止すると共に、ヘッダ部の上昇作動、又は排出オーガの下降作動を不能にするように構成する。そして、このように構成すると、補助作業者が前述の作業を行っている際の危険性を根本から回避することができる。
【００２１】
さらに、本発明の汎用コンバインによれば、排出オーガの収納位置をヘッダ部上から外れた第２収納位置に変更可能に構成し、該第２収納位置に排出オーガの収納位置が変更されている際には、掻込リールの強制的な下降を行わないように構成してあるから、補助作業者が前述の作業を行っている際の危険性を同様に回避することができると共に、長稈のヒエやアワ、キビ等の雑穀を刈り取る場合に排出オーガを第２収納位置に忘れずに変更するだけで、掻込リールと排出オーガの衝突を防止することができる。また、長稈作物以外は排出オーガの収納位置を切り換える煩わしさから解放されて、刈取作業を能率的に行うことができる。
【図面の簡単な説明】
【００２２】
【図１】汎用コンバインの側面図である。
【図２】汎用コンバインの平面図である。
【図３】掻込リールを最大に上昇させた状態を示す汎用コンバインの側面図である。
【図４】ヘッダ部を最大に上昇させた状態を示す汎用コンバインの側面図である。
【図５】掻込リールとヘッダ部を共に最大に上昇させた状態を示す汎用コンバインの側面図である。
【図６】排出オーガを最大に上昇させた状態を示す汎用コンバインの側面図である。
【図７】第１収納位置に切換えたオーガレストの斜め前方側から見た斜視図である。
【図８】第１収納位置に切換えたオーガレストの斜め後方側から見た斜視図である。
【図９】第２収納位置に切換えたオーガレストの斜め前方側から見た斜視図である。
【図１０】第２収納位置に切換えたオーガレストの斜め後方側から見た斜視図である。
【図１１】排出オーガの旋回作動範囲を示す模式図である。
【図１２】掻込リールと排出オーガの衝突防止に係わる制御ブロック図である。
【図１３】掻込リールと排出オーガの衝突防止に係わるメインフロー図である。
【図１４】接触防止制御のフローチャートである。
【図１５】第２実施例の接触防止制御のフローチャートである。
【図１６】リール復帰制御のフローチャートである。
【図１７】リール昇降制御のフローチャートである。
【発明を実施するための形態】
【００２３】
本発明の実施形態を図面に基づいて説明する。図１に示すように汎用コンバインは、左右のクローラ式走行装置１と、走行装置１のトラックフレーム２の上方に設ける四角枠形状の機体フレーム３によって機体が構成され、機体フレーム３に対して左右の走行装置１は、図示しない姿勢制御用の油圧シリンダによって昇降自在に取り付けられている。また、機体フレーム３の進行方向左側には作物の脱穀及び選別処理を行う脱穀部４を設け、右側には操縦部５と穀粒を貯留するグレンタンク６を前後に設けている。さらに、脱穀部４と操縦部５の前方には作物を刈取って脱穀部４に搬送するヘッダ部（刈取部）７を設けている。なお、操縦部５とグレンタンク６の間にはエンジンを搭載し、エンジンはクローラ式走行装置１、脱穀部４、グレンタンク６、ヘッダ部７等を駆動する動力源となる。
【００２４】
ここで、各部の構成をより詳細に説明すると、機体の前方側に設けるヘッダ部７は、フィーダハウス８とオーガーフレーム９とリールフレーム１０を一体的に連結して構成している。この内、オーガーフレーム９には、鉄板を湾曲させて形成するプラットホーム１１を設け、プラットホーム１１上には、左右方向に延びる円柱状のオーガ１２（プラットホームオーガ）を回転駆動可能に軸架している。また、オーガーフレーム９の前部には、左右のデバイダ１３とレシプロ式の刈刃１４を設けている。さらに、箱枠状に形成したフィーダハウス８内には、駆動軸１５に取り付けた後部の駆動スプロケット１６と前部のドラム１７間に左右の搬送チェン１８を巻回すると共に、左右の搬送チェン１８間に所定間隔を有して複数のスラット１９を横架したフィーダＦを設けている。
【００２５】
また、リールフレーム１０には、掻込リールＲを設けており、掻込リールＲはリールフレーム１０の左右先端部に回転自在に軸支した駆動軸と、この駆動軸と一体回転する側面視多角形状（実施例では６角形状）の左右の回転支持体２０とを備えている。さらに、左右の回転支持体２０の頂点部には、左右方向に伸延する複数のタイン取付け杆２１が回転自在に架設されていて、各タイン取付け杆２１には所定間隔毎にバネ式のタイン２２が垂下状に取り付けられている。そして、上記回転支持体２０の一方の横外側には、上記駆動軸の軸芯とは偏倚した軸芯廻りに回転する姿勢保持用回転体２３が設けられ、姿勢保持用回転体２３の各頂点に設けた枢支体２４とタイン取付け杆２１の一側端とをリンクを介して連結することにより、タイン２２が回転支持体２０の回転にかかわらず常時下方を向くように姿勢保持される。
【００２６】
なお、リールフレーム１０は、オーガーフレーム９の上部に回動自在に枢支した左右の揺動アーム２５の先端に後部が回動自在に枢支され、フィーダハウス８に一端を取り付けた前後移動用の油圧シリンダ２６を伸縮作動させることによって、掻込リールＲを揺動アーム２５を介してオーガーフレーム９に対して前後に位置調節することができる。また、リールフレーム１０の中ほどとオーガーフレーム９との間には、昇降用の油圧シリンダ２７が設けてあり、この油圧シリンダ２７を伸縮作動させることによって、掻込リールＲをオーガーフレーム９に対して上下に高さ調節することができる。
【００２７】
そして、以上のように構成するヘッダ部７は、前記フィーダＦの駆動軸１５を中心として機体フレーム３の前部に回動自在に支承されると共に、フィーダハウス８と機体フレーム３との間に設けた昇降用油圧シリンダ２８の伸縮作動によって、ヘッダ部７の前部側を下降させた状態と上昇させた状態に姿勢変更することができる。さらに、エンジンから図示しない脱穀クラッチ及び刈取クラッチを介して、フィーダＦの駆動軸１５に伝達された動力は、フィーダＦに伝達されて搬送チェン１８が駆動されると共に、駆動軸１５から更に図示しないスプロケット、チェン、リール・刈刃クラッチ、無段変速装置等の伝動装置を介して、プラットホームオーガ１２、刈刃１４、掻込リールＲに伝達されて、これによりヘッダ部７の各部は駆動される。
【００２８】
従って、ヘッダ部７を下降させた状態として機体を走行させると、圃場の植立穀稈が左右のデバイダ１３によって刈取対象と非刈取対象とに分草され、その内、刈取対象の植立穀稈が掻込リールＲによってプラットホーム１１内に掻き込まれながら刈刃１４で刈取られる。また、プラットホーム１１内に掻き込まれた穀稈は、プラットホームオーガ１２によってフィーダハウス８の前方に横送りされ、さらに、フィーダハウス８に横送りされた穀稈は、搬送チェン１８に取り付けたスラット１９に係止されながらフィーダハウス８の下部を通過して、刈取られた穀稈の全体が脱穀部４に投入される。
【００２９】
なお、ヘッダ部７には、リールフレーム１０の前端に前照灯２９が取り付けられていると共に、方向指示器３０とバックミラー３１がオーガーフレーム９から立設したステー３２に取り付けられている。また、３３はプラットホーム１１の側方を覆うカバー、３４は掻込リールＲの伝動部を覆うカバーである。さらに、フィーダハウス８の後部側の側方には、機体フレーム３からハシゴ３５を立設している。
【００３０】
また、脱穀部４は、ヒンジを介して上方に開閉自在なロータカバー３６と、側方に開閉自在なロータサイドカバー３７と、着脱自在な脱穀カバー（前カバー３８、後カバー３９）によって上方及び左側方を覆い、後方は前後に開閉自在な排塵カバー４０で覆っている。さらに、グレンタンク６の後方には、グレンタンク６に貯留した穀粒をコンテナ等に向けて排出するオーガ４１を設けている。そして、操縦部５には座席４２と、座席４２の前方に設けたフロントパネル４３と、フロントパネル４３から突出するマルチステアリングレバー４４（ヘッダ部７の昇降と機体の操向を行う）と、座席４２の側方に設けたサイドパネル４５と、サイドパネル４５に設けた静油圧式無段変速装置を操作する走行変速レバー４６等を設ける他、メータパネルやモニタ、自動制御及び手動制御用のスイッチやボリューム、各種の操作レバー等の操作具を集中して設けている。
【００３１】
さらに、脱穀部４についてより詳細に説明すると、脱穀部４はフィーダＦによって搬送されてきた穀稈が投入される扱室４７と、扱室４７の下側に形成された選別室４８とを備える。この内、扱室４７内には機体の前後方向軸芯周りに回転する扱胴４９が軸架してあり、扱胴４９の下方には、前記フィーダＦによって搬送されてきた穀稈を受け入れる入口受板に引き続いて、扱胴４９の下部周辺を覆うように円弧状の受網が周設されている。そして、扱室４７に投入された穀稈は扱胴４９によって機体後方側に揉み解されながら搬送され、また、扱胴４９の外周上を周回する間に受網に擦り付けられて脱粒処理が行われる。
【００３２】
一方、扱室４７の下側に形成した選別室４８には揺動選別体５０が設けられ、この揺動選別体５０は、その前後をリンクと駆動リンク等で構成される揺動機構によって前後揺動自在に支持され、前後に揺動することで処理物が比重選別される。また、揺動選別体５０の下方には、揺動選別体５０に向かう選別風を発生させる唐箕ファン５１とターボファン５２を設けており、これらのファン５１、５２によって生成された選別風によって処理物は揺動選別体５０において風選される。そして、揺動選別体５０から漏下した穀粒は一番螺旋５３上に落下する。また、二番物は二番螺旋５４上に落下する。
【００３３】
さらに、揺動選別体５０の終端まで移送された藁屑等の塵埃は、受網の後端部まで搬送された排藁等と共に、機体後部に設けた排出口５５から機外に排出される。なお、一番螺旋５３によって横送りされた穀粒は、図示しないバケットコンベアと上方横螺旋によってグレンタンク６内に揚送されると共に、二番螺旋５４によって横送りされた二番物は、図示しないスラットコンベアと還元横螺旋によって扱室４７の前部に還元して、再度脱粒処理を行うか、又は還元横螺旋筒の中途に設けた蓋を開いて、二番物を揺動選別体５０上に再び落下させて、再選別処理を行うことができる。
【００３４】
次に、前述したグレンタンク６に貯留した穀粒をコンテナ等に向けて排出するオーガ４１とヘッダ部７との関係について説明する。先ず、排出オーガ４１はグレンタンク６の底部に設置された横螺旋に引き続いて穀粒を移送する縦螺旋を備え、この縦螺旋は大きく分けて下部側と上部側の螺旋で構成され、それぞれ外周を縦パイプ５６，５７で覆っている。また、下部側の縦パイプ５６の基部はグレンタンク６後方に設けた横螺旋終端のケースに回動自在に立設され、オーガモータ５８によって縦パイプ５６は回転駆動される。そして、上部側の縦パイプ５７の基部はギヤケース５９を介して下部側の縦パイプ５６の上端に起伏（昇降）自在に連結され、オーガ昇降シリンダ６０によってその先端側が上下方向に昇降駆動される。
【００３５】
また、倒伏状態となした上部側の縦パイプ５７の中途部は、エンジンと脱穀部４の間に設けたオーガレスト６１に載置される。このオーガレスト６１は、脱穀部フレーム６２とエンジンカバーフレーム６３の上部を連結するブラケット６４の上面に固定する支柱部６１ａと、支柱部６１ａの先端部と支柱部６１ａから斜め上方に延びる補強部材６１ｂで支持され、水平方向に延設されるスライド部６１ｃと、スライド部６１ｃに摺動自在に支持される受部６１ｄとを備えている。該受部６１ｄは、上方に向けて略Ｖ字型で、排出オーガ４１の上部側の縦パイプ５７が載置可能に構成される。また、該受部６１ｄの上面にはゴムや樹脂等の弾性部材が取り付けられており、縦パイプ５７が載置されていても走行中に振動音を発生することが防止される。
【００３６】
さらに、前記受部６１ｄは、ピン６５及びＲピン６６でスライド部６１ｃに固定され、スライド部６１ｃ上の、図７及び図８で示す第１収納位置（非作業位置）と、図９及び図１０で示す第２収納位置（作業位置）でピン６５及びＲピン６６を抜き差しして受部６１ｄを所定の位置に切換えて固定する。そして、上記第１収納位置、又は第２収納位置に切換えたオーガレスト６１に上部側の縦パイプ５７を載置した際には、上部側の縦パイプ５７の先端側のオーガ出口４１ａが、それぞれ第１収納位置では図２の鎖線で示す掻込リールＲの上方に臨み、第２収納位置では図２の実線で示す掻込リールＲの上方から左側に逸れた位置に臨む。
【００３７】
従って、図５に示すように掻込リールＲ及びヘッダ部７を最大に上昇させても、第２収納位置ではそれらと上部側の縦パイプ５７の先端側は干渉しない。しかし、第１収納位置では、図１で示す掻込リールＲ及びヘッダ部７を下降させた際、図３で示すヘッダ部７を下降させた状態で掻込リールＲを最大に上昇させた際、及び図４で示す掻込リールＲを下降させた状態でヘッダ部７を最大に上昇させた際には、何れも掻込リールＲ及びヘッダ部７と上部側の縦パイプ５７の先端側は干渉しないが、掻込リールＲ及びヘッダ部７を最大に上昇させた図５に示す状態では、掻込リールＲと上部側の縦パイプ５７の先端側が干渉し、掻込リールＲ又はヘッダ部７を上昇させると掻込リールＲは上部側の縦パイプ５７の先端側と衝突して両者は破損することになる。
【００３８】
なお、前記オーガレスト６１の受部６１ｄには排出オーガ固定リング６７が設けられており、この排出オーガ固定リング６７を上部側の縦パイプ５７に固定したフック５７ａに掛けることによって排出オーガ４１をオーガレスト６１に載置した収納状態に固定することができる。また、受部６１ｄにはアーム６８の一端が支持され、アーム６８の他端は、前記補強部材６１ｂに支持され、これによりアーム６８は受部６１ｄをスライドさせても上方に抜けないように規制している。さらに、受部６１ｄには、オーガレスト６１の第１収納位置、又は第２収納位置の切換え位置を検出するオーガレストスイッチ６９が設けてあり、図１０に示すように、オーガレストスイッチ６９が、スライド部６１ｃの先端に設けたプレート６１ｅと接当することで、オーガレストスイッチ６９が入りとなり、図８に示すように、プレート６１ｅから離れるとオーガレストスイッチ６９が切りとなる。
【００３９】
以上、主に排出オーガ４１がオーガレスト６１に載置された収納状態について説明したが、次に、グレンタンク６に収穀した穀粒をコンテナ等に排出する際の作動を説明する。即ち、排出オーガ４１を作動させる際には、前述の排出オーガ固定リング６７をフック５７ａから外しておく必要がある。そして、排出オーガ４１は、図示しない操縦部５に設けるオーガリモコンによって遠隔操作することができ、このオーガリモコンによって排出オーガ４１は昇降作動及び旋回作動させることができる。
【００４０】
具体的には、排出オーガ４１（上部側の縦パイプ５７）の昇降作動範囲は、オーガレスト６１に載置された収納状態の略水平位置（０度）からオーガ昇降シリンダ６０によって、図６に示すように斜め上方に略４５度傾斜させた位置まで上昇させることができる。また、排出オーガ４１（上部側の縦パイプ５７）の旋回作動範囲は、図１１に示すようにオーガレスト６１の第２収納位置に載置されたＡ位置から、オーガモータ５８によって下部側の縦パイプ５６を中心として、時計回りに最大で機体の左側を向くＦ位置まで旋回させることができる。
【００４１】
なお、旋回途中のＢの位置は排出オーガ４１が第１収納位置で収納される位置、Ｃの位置は掻込リールＲの右端側と排出オーガ４１の先端側が干渉する虞がある最右端の位置で、Ｂの若干Ａ寄りの位置からＣの範囲に旋回させた排出オーガ４１をそのまま下降作動させると、掻込リールＲと排出オーガ４１の先端側が衝突する虞がある。但し、Ｂ位置を越えた位置から機体の右側を向くＤ位置の間は、排出オーガ４１がグレンタンク６や操縦部５において立ち上がったオペレータに接触するのを回避するために、排出オーガ４１を上限（略４５度傾斜）まで上昇させなければ旋回できない下降規制範囲であり、実質的に排出オーガ４１をそのまま下降作動させて、掻込リールＲと排出オーガ４１の先端側が衝突する虞がある位置は、第１収納位置であるＢ位置近辺となる。
【００４２】
また、前記下降規制範囲によって実際に排出オーガ４１を下降させて穀粒を排出できる範囲は、Ｄ位置を越えた位置から機体の後方となるＥ位置、そして、機体の左側を向くＦ位置に亘る機体後方側の略１８０度の範囲となる。なお、前記オーガリモコンには、排出オーガ４１の昇降及び旋回操作を手動で行うオーガ手動スイッチと、旋回操作を自動で行うオーガ自動旋回スイッチと、オーガ自動旋回スイッチで旋回駆動される旋回位置の設定をするオーガ旋回位置選択スイッチと、グレンタンク６に貯蔵された穀粒を排出する排出スイッチ等が設けられている。
【００４３】
ここで、オーガ旋回位置選択スイッチで、前記Ｄ、Ｅ、Ｆの何れかの排出位置を選択した後、オーガ自動旋回スイッチを押すと排出オーガ４１は上限（略４５度傾斜）まで上昇作動して、選択した排出位置まで旋回して停止する。そこで、オペレータはオーガ手動スイッチを操作して、オーガ出口４１ａがコンテナ上に臨む位置まで下降させ、排出スイッチを押すとグレンタンク６から穀粒が回転駆動された横螺旋と縦螺旋によって移送され、オーガ出口４１ａからコンテナに向けて排出される。また、排出が終わったら排出スイッチを再度、押すと螺旋の駆動が停止する。
【００４４】
そして、再びオーガ自動旋回スイッチを押すと、元のオーガレスト６１の収納位置に向けて、排出オーガ４１は上昇作動、旋回作動、及び下降作動する。なお、排出オーガ４１の昇降及び旋回操作を手動で行うオーガ手動スイッチは、上げ下げスイッチと左右旋回スイッチで構成され、各スイッチを操作して排出オーガ４１をオーガレスト６１の収納位置から排出位置に向けて、或いは排出位置から収納位置に向けて作動させることができる。
【００４５】
次に、前述した掻込リールＲと排出オーガ４１の衝突（接触）を防止する制御装置について説明する。図１２は、掻込リールＲと排出オーガ４１との衝突防止に係わる制御ブロック図を示し、制御装置は、マイクロコンピュータからなるエレクトロニックコントロールユニット（ＥＣＵ）７０を備えている。上記ＥＣＵ７０の入力側には、掻込リールＲの昇降位置を検出するリール高さポテンショメータ７１と、ヘッダ部７の昇降位置を検出する刈取部高さポテンショメータ７２と、排出オーガ４１の旋回位置を検出するオーガ旋回ポテンショメータ７３と、排出オーガ４１の昇降位置を検出するオーガ高さポテンショメータ７４、或いはこれに替えて排出オーガ４１が上限位置にあることを検出するオーガ上限スイッチを接続している。
【００４６】
また、ＥＣＵ７０の入力側には、例えば、走行変速レバー４６の操作位置を検出するポテンショメータによって機体が走行中か停止中であるかを検出する走行検出手段７５と、例えば、操縦部５に設ける図示しないパワークラッチスイッチによって脱穀クラッチ及び刈取クラッチの何れも入り状態に設定されているかを検出する脱穀クラッチ検出手段７６と、掻込リールＲと刈刃１４へ動力を伝達するリール・刈刃クラッチの入り切りを検出するリール・刈刃クラッチ検出手段７７と、掻込リールＲを昇降操作するリール昇降スイッチ７８と、マルチステアリングレバー４４の前後動によってヘッダ部７を昇降操作する刈取部昇降スイッチ７９と、排出オーガ４１を昇降操作、並びに旋回操作するオーガ手動スイッチ８０と、排出オーガ４１を収納位置と排出位置へ作動させるオーガ自動スイッチ８１と、オーガレストスイッチ６９を接続している。
【００４７】
そして、ＥＣＵ７０の出力側には、掻込リールＲを昇降する油圧シリンダ２７のソレノイドバルブ８２と、ヘッダ部７を昇降する油圧シリンダ２８のソレノイドバルブ８３と、排出オーガ４１を昇降するオーガ昇降シリンダ６０のソレノイドハルブ８４と、排出オーガ４１を旋回するオーガモータ５８と、ブザー８５と、ランプ８６を接続している。そして、以上のように接続した制御装置は、図１３に示すリール復帰制御、リール昇降制御、刈取部昇降制御、オーガ手動制御、オーガ自動制御、及び接触防止制御の各サブルーチンを繰り返して実行し、その内、接触防止制御の詳細を図１４に示す。
【００４８】
すなわち、接触防止制御は、掻込リールＲと排出オーガ４１とが衝突（接触）する虞がある場合に、掻込リールＲを強制的に下降させて両者の衝突を防止するものであり、制御装置の入力側に接続したポテンショメータやスイッチの検出結果に基づいて出力側に接続したソレノイドバルブやブザーやランプを作動させ、先ず、刈取部（ヘッダ部７）の上昇操作、或いはこの上昇操作に基づいて刈取部（ヘッダ部７）が上昇作動した時、又は排出オーガ４１の手動下降操作や自動収納指令、或いはこの下降操作や指令信号に基づいて排出オーガ４１が下降作動した時（ステップＳ1）には、オーガレスト６１の位置を判断する（ステップＳ２）。また、刈取部（ヘッダ部７）が上昇操作、並びに排出オーガ４１が下降操作されていなければ、掻込リールＲと排出オーガ４１が衝突しないので、掻込リールＲの作動制御を行わない。
【００４９】
上記ステップＳ２では、オーガレスト６１の位置が第２収納位置であれば、排出オーガ４１が収納位置に下降していても掻込リールＲ上に臨まないので、掻込リールＲの作動制御を行わない。また、オーガレスト６１の位置が第１収納位置であれば、リールとオーガとの距離を判断する（ステップＳ３）。このステップＳ３では、排出オーガ４１の先端側の高さからヘッダ部７に対する掻込リールＲの高さと機体フレーム３に対するヘッダ部７の高さを減算した値に基づいて掻込リールＲと排出オーガ４１との距離を算出し、この距離をヘッダ部７の上昇速度、排出オーガ４１の下降速度、並びに掻込リールＲの下降速度から勘案して決定された衝突を回避できる判定距離と比較し、このままでは衝突を回避できない（＜＝判定距離）と判断するとリール下降前高さ記憶（ステップＳ４）に進み、衝突を回避できる（＞判定距離）と判断すると掻込リールＲの作動制御を行わない。
【００５０】
なお、前述の排出オーガ４１の先端側の高さはオーガ高さポテンショメータ７４から得ることができる。しかし、オーガ高さポテンショメータ７４に替えて排出オーガ４１が上限位置にあることを検出するオーガ上限スイッチを用いる場合には、オーガ上限スイッチがオンであれば、排出オーガ４１が最大に上昇した際の高さを用い、また、オーガ上限スイッチがオフであれば、オーガレスト６１に収納された際の高さを簡便的に用いることで、掻込リールＲと排出オーガ４１との距離を安全サイドにみて算出することができる。
【００５１】
そして、ステップＳ４では、現在、本接触防止制御における掻込リールＲの強制的な下降制御を行っているか、行っていないかを判断して、未だ下降制御を行っていない場合は、現在の掻込リールＲの高さ（リール下降前高さ）を記憶する（ステップＳ５）。次に、機体が走行中か停止中かの判断（ステップＳ６）に進み、走行中であればステップＳ７において、排出オーガ４１との衝突を回避すべく掻込リールＲを通常の速度（標準速）で下降させる。また、停止中であれば掻込リールＲを通常の速度（標準速）より低速で下降させ（ステップＳ８）、ブザー８５を吹鳴させると共にランプ８６を点滅させ（ステップＳ９）、さらに、ヘッダ部７が上昇操作されている際にはヘッダ部７の上昇速度を減速させ、また、排出オーガ４１が下降操作されている際には排出オーガ４１の下降速度を減速させる（ステップＳ１０）。
【００５２】
従って、掻込リールＲと排出オーガ４１が衝突（接触）する虞がある場合に、機体が走行している際には、掻込リールＲの周辺に元々補助作業者が近寄っておらず、掻込リールＲを下降させても補助作業者に危害を加えることが無いと想定されるから、通常の速度（標準速）で掻込リールＲを下降させて掻込リールＲと排出オーガ４１の衝突を回避する。しかし、機体が停止している際には、掻込リールＲの周辺に補助作業者が近寄っていることも想定される。そこで、掻込リールＲを通常の速度（標準速）より低速で下降させることにより、補助作業者の掻込リールＲ近辺からの退避時間を確保し、また、ブザー８５を吹鳴させると共にランプ８６を点滅させることにより、補助作業者に退避を促し、また、オペレータにこの事態を知らせて緊急事態であればヘッダ部７の上昇操作、或いは排出オーガ４１の下降操作の中止等の回避行動を促す。
【００５３】
さらに、掻込リールＲを低速で下降させることによって生ずる掻込リールＲと排出オーガ４１の衝突の虞は、ヘッダ部７の上昇速度の減速、また、排出オーガ４１の下降速度の減速で対応することができる。なお、掻込リールＲ、ヘッダ部７、並びに排出オーガ４１の昇降速度の変更は、通常のソレノイドバルブへの連続通電に換えて間欠的な通電によって実現できると共に、電磁比例流量制御弁等を油圧回路に付加し、これらの昇降速度を変更するようにしてもよい。
【００５４】
次に、接触防止制御の第２実施例を図１５に基づいて説明すると、第２実施例は、図１４に示す第１実施例のステップＳ７までは全く同じフローを実行するので、ステップＳ７までの説明は省略する。そこで、ステップＳ８から説明すると、ステップＳ８では脱穀クラッチの接続状態を判断する。この場合、脱穀クラッチが接続（ＯＮ）されていれば、リール・刈刃クラッチの接続状態を判断する（ステップＳ９）。そして、ステップＳ９でリール・刈刃クラッチが接続（ＯＮ）されていれば、ステップ７に戻って排出オーガ４１との衝突を回避すべく掻込リールＲを通常の速度（標準速）で下降させる。また、ステップＳ８で脱穀クラッチが切断（ＯＦＦ）されている場合、或いはステップＳ９でリール・刈刃クラッチが切断（ＯＦＦ）されている場合は、ステップ１０に進む。
【００５５】
上記ステップ１０では、ヘッダ部７が上昇操作されている際にはヘッダ部７の上昇作動を禁止してヘッダ部７の上昇を停止させ、また、排出オーガ４１が下降操作されている際には排出オーガ４１の下降作動を禁止して排出オーガ４１の下降を停止させる。さらに、ブザー８５を吹鳴させると共にランプ８６を点滅させる（ステップＳ１１）。なお、前記ステップＳ８における脱穀クラッチの判断は、脱穀クラッチ検出手段７６によって脱穀クラッチ及び刈取クラッチの何れも接続されている状態をＯＮとし、また、脱穀クラッチ及び刈取クラッチの何れも切断されている状態をＯＦＦとするものであって、脱穀クラッチのみの断続を意味するものではない。
【００５６】
従って、接触防止制御の第２実施例では、第１実施例の機体の走行中の判断に加えて、脱穀クラッチ及び刈取クラッチ、更にはリール・刈刃クラッチの接続状態の判断に基づいて、掻込リールＲと排出オーガ４１が衝突（接触）する虞がある場合には、掻込リールＲを下降させて掻込リールＲと排出オーガ４１の衝突を回避する。しかも、この場合、機体が停止していても脱穀クラッチ、刈取クラッチ、及びリール・刈刃クラッチの何れもが接続されている状態であれば掻込リールＲの強制的な下降制御は実行される。即ち、この場合は、作物を前にしてオペレータが刈高さをヘッダ部７の昇降によって調節したり、作物の掻込み高さを掻込リールＲの昇降によって調節する、刈取開始時の事前の準備段階であるから、掻込リールＲの周辺に補助作業者が近寄ることはなく、掻込リールＲを下降させても補助作業者に危害を加えることが無いと想定される場合である。
【００５７】
一方、機体が停止していて脱穀クラッチ及び刈取クラッチが接続され、また、リール・刈刃クラッチが切断されている状態は、補助作業者が手刈り穀稈をプラットホームに投入する際の状況を意味し、掻込リールＲの周辺に補助作業者が近寄っていて、掻込リールＲを下降させたら補助作業者に危害を加える虞があると想定される場合である。そこで、第２実施例ではより安全性を担保するために、第１実施例の掻込リールＲを通常の速度（標準速）より低速で下降させることに替えて、ヘッダ部７の上昇作動を禁止してヘッダ部７の上昇を即座に停止させ、また、排出オーガ４１の下降作動を禁止して排出オーガ４１の下降を即座に停止させている。なお、第２実施例の脱穀クラッチ及び刈取クラッチ、また、リール・刈刃クラッチの判断を第１実施例に付加してもよく、或いは、第１実施例の掻込リールＲを通常の速度（標準速）より低速で下降させることに替えて、第２実施例の刈取部上昇又はオーガ下降作動禁止を盛り込むこともできる。
【００５８】
次に、接触防止制御によって掻込リールＲを強制的に下降させた後の、掻込リールＲを元の位置に戻すリール復帰制御について説明する。すなわち、図１６に示すようにリール復帰制御は、先ず、掻込リールＲが接触防止制御によって強制的な下降制御がされている状態であるかをリール下降前高さの記憶に基づいて判断する（ステップＳ１）。そして、下降前高さが記憶されていて強制的な下降制御がされている状態であればステップＳ２に進み、記憶されていなければ掻込リールＲを復帰させる作動制御を行わない。
【００５９】
また、ステップＳ２では、刈取部（ヘッダ部７）の下降操作、或いはこの下降操作に基づいて刈取部（ヘッダ部７）が下降作動したか、又は排出オーガ４１の手動上昇操作や自動排出位置への移動指令、或いはこの上昇操作や指令信号に基づいて排出オーガ４１が上昇作動したかが判断され、何れの操作又は作動も検出されない場合は、掻込リールＲを復帰させる作動制御を行わない。しかし、何れかの操作又は作動が検出された場合は、前述した掻込リールＲと排出オーガ４１との距離が判定される（ステップＳ３）。そして、ステップＳ３において、未だに衝突する虞がある距離（＜＝判定距離）と判断すると、掻込リールＲを復帰させる作動制御を行わない。また、衝突する虞がない距離（＞判定距離）と判断すると、ステップＳ４に進み、掻込リールＲを記憶した下降前の高さに戻すように上昇側への作動制御を行う。
【００６０】
従って、接触防止制御によって掻込リールＲが強制的に下降させられた後、リール復帰制御において、掻込リールＲと排出オーガ４１の衝突の虞が無くなると下降前の高さまで自動的に掻込リールＲが戻されるので、掻込リールＲの高さを手動で調節し直す煩わしさから解放されて、刈取り作業を迅速に再開することができる。
【００６１】
ところで、掻込リールＲを手動操作した際のリール昇降制御について説明すると、図１７に示すようにリール昇降制御は、掻込リールＲを昇降操作するリール昇降スイッチ７８の上昇操作がステップＳ１において検出されると、前述した掻込リールＲと排出オーガ４１との距離が判定される（ステップＳ２）。そして、ステップＳ２において、排出オーガ４１と衝突する虞がない距離（＞判定距離）であると判断すると、ステップＳ３に進んで掻込リールＲを上昇作動させる。
【００６２】
しかし、衝突する虞がある距離（＜＝判定距離）であると判断すると、掻込リールＲの上昇作動を禁止して停止させる（ステップＳ４）。一方、ステップＳ１において上昇操作が検出されなければ、下降操作の有無が判断され（ステップＳ５）、ここで下降操作が検出されると、掻込リールＲを下降作動させる（ステップＳ６）。また、下降操作が行われていなければ、前記ステップＳ４に進んで、掻込リールＲの作動が停止される。
【００６３】
従って、掻込リールＲを手動で上昇操作した際にも、掻込リールＲが排出オーガ４１と衝突する虞が出てきた場合は、強制的に掻込リールＲの上昇作動が停止されるので、掻込リールＲと排出オーガ４１の衝突を防止することができる。なお、刈取部昇降制御、オーガ手動制御、及びオーガ自動制御においては、本発明に係る掻込リールＲと排出オーガ４１の衝突を防止する制御を格別、盛り込んでおらず、前述した接触防止制御において対応しているので、その説明を割愛する。
【００６４】
以上、本発明の実施形態を説明したが、掻込リールＲを強制的に下降させるだけでは、掻込リールＲと排出オーガ４１の衝突を防止することができない場合は、掻込リールＲを強制的に下降させると共に、ヘッダ部の上昇作動を禁止する、或いはヘッダ部を強制的に下降させることもできる。また、本発明では、掻込リールＲを強制的に下降させた際に、補助作業者を危険にさらさないように、その下降速度を遅くするといった制御を、機体の走行を停止して刈取り作業を行わない非作業時をもって行っているが、より正確を期すためにヘッダ部７周辺に補助作業者がいないか赤外線センサ等で構成する人体検知センサで検出して、補助作業者の存在が確認されれば前記制御を行わせてもよく、本発明は、前記実施形態に限定するものではない。
【符号の説明】
【００６５】
１      クローラ式走行装置
３      機体フレーム
４      脱穀部
５      操縦部
６      グレンタンク
７      ヘッダ部
Ｆ      フィーダ
Ｒ      掻込リール
１２    プラットホームオーガ
１４    刈刃
４１    排出オーガ
６１    オーガレスト
７０    制御装置
【図１】
2015231356.tif 000003
【図２】
2015231356.tif 000004
【図３】
2015231356.tif 000005
【図４】
2015231356.tif 000006
【図５】
2015231356.tif 000007
【図６】
2015231356.tif 000008
【図７】
2015231356.tif 000009
【図８】
2015231356.tif 000010
【図９】
2015231356.tif 000011
【図１０】
2015231356.tif 000012
【図１１】
2015231356.tif 000013
【図１２】
2015231356.tif 000014
【図１３】
2015231356.tif 000015
【図１４】
2015231356.tif 000016
【図１５】
2015231356.tif 000017
【図１６】
2015231356.tif 000018
【図１７】
2015231356.tif 000019